(57)【要約】【課題】いかなる状況においても、水配管の凍結を抑え、高い信頼性を有するヒートポンプ給湯装置を提供すること。【解決手段】本発明のヒートポンプ給湯装置は、圧縮機、水冷媒熱交換器、減圧器、蒸発器を順次接続して構成されるヒートポンプ回路を有するヒートポンプユニットと、湯水を貯える貯湯タンク、前記貯湯タンクの水を前記水冷媒熱交換器へ搬送する水ポンプを有するタンクユニットとを備え、前記ヒートポンプユニットと前記タンクユニットを接続する給湯配管のうち、前記ヒートポンプユニット側の配管接続部を発泡部材で覆ったことを特徴とするものである。【選択図】図１
2008298387.tif 000002
【特許請求の範囲】
【請求項１】
圧縮機、水冷媒熱交換器、減圧器、蒸発器を順次接続して構成されるヒートポンプ回路を有するヒートポンプユニットと、湯水を貯える貯湯タンク、前記貯湯タンクの水を前記水冷媒熱交換器へ搬送する水ポンプを有するタンクユニットとを備え、前記ヒートポンプユニットと前記タンクユニットを接続する給湯配管のうち、前記ヒートポンプユニット側の配管接続部を発泡部材で覆ったことを特徴とするヒートポンプ式給湯装置。
【請求項２】
前記発泡部材と前記配管接続部との間にグラスウールを配設したことを特徴とする請求項１に記載のヒートポンプ式給湯装置。
【請求項３】
前記発泡部材の一部を、前記ヒートポンプユニットの電源カバーに内装したことを特徴とする請求項１または２のいずれか１項に記載のヒートポンプ式給湯装置。
【発明の詳細な説明】
【技術分野】
【０００１】
本発明は、ヒートポンプユニットと貯湯ユニットが分離したヒートポンプ給湯装置の配管接続部の構成に関する。
【背景技術】
【０００２】
従来のヒートポンプ給湯装置は、図４に示すように、圧縮機１０１、水冷媒熱交換器１０２、減圧装置１０３、蒸発器１０４を環状に接続した冷凍サイクルを有するヒートポンプユニットＡと、水冷媒熱交換器１０２で熱交換された温水を搬送する水ポンプ１０５と、貯湯タンク１０６とを有する貯湯ユニットＢで構成され、貯湯タンク１０６の下方部の冷水を水冷媒熱交換器１０２で加熱し、貯湯タンク１０６の上部に戻し、貯湯タンク１０６には高温水が、上から下にかけて温度層が形成されるように貯湯される。
【０００３】
一方、図５に示すように、ヒートポンプユニットＡと貯湯ユニットＢとは、樹脂または銅配管で接続されている。図５（ａ）は、管接続部分を電源カバー１３０で覆った図であり、図５（ｂ）は電源カバーを外した図である。このようにヒートポンプユニットＡと貯湯ユニットＢとが接続されたヒートポンプ給湯装置は、外気温度が極端に低下した場合に、温水管１２０、水配管１２１が凍結するのを防止するために、外気温度センサが、低外気温度を検知すれば、自動的に水ポンプを一定時間運転し、水配管の凍結を抑える構成をとっている。また、ヒートポンプユニット側の管接続部をグラスウールなどの断熱材で覆った仕様を持つものがある（例えば、特許文献１参照）。
【特許文献１】特開平１０−３２５１６０号公報
【発明の開示】
【発明が解決しようとする課題】
【０００４】
しかしながら、上記のような凍結防止のために循環ポンプを駆動する場合は、ヒートポンプ給湯装置が常時通電されていることが前提であるので、例えば、停電時などの不慮な事態が生じた場合には、凍結を抑えることは不可能である。
【０００５】
また、グラスウールなどの断熱材で覆う場合にも、個々の製品に対して、断熱性能にバラツキが発生し、安定した効果が得られない。
【０００６】
本発明は、前記従来の課題を解決するもので、いかなる状況においても、水配管の凍結を抑え、高い信頼性を有するヒートポンプ給湯装置を提供することを目的とする。
【課題を解決するための手段】
【０００７】
前記従来の課題を解決するために、本発明のヒートポンプ給湯装置は、圧縮機、水冷媒熱交換器、減圧器、蒸発器を順次接続して構成されるヒートポンプ回路を有するヒートポンプユニットと、湯水を貯える貯湯タンク、前記貯湯タンクの水を前記水冷媒熱交換器へ搬送する水ポンプを有するタンクユニットとを備え、前記ヒートポンプユニットと前記タンクユニットを接続する給湯配管のうち、前記ヒートポンプユニット側の配管接続部を発泡部材で覆ったことを特徴とするものである。
【発明の効果】
【０００８】
本発明は、いかなる状況においても、水配管の凍結を抑え、高い信頼性を有するヒートポンプ給湯装置を提供することができる。
【発明を実施するための最良の形態】
【０００９】
第１の発明のヒートポンプ給湯装置は、圧縮機、水冷媒熱交換器、減圧器、蒸発器を順次接続して構成されるヒートポンプ回路を有するヒートポンプユニットと、湯水を貯える貯湯タンク、前記貯湯タンクの水を前記水冷媒熱交換器へ搬送する水ポンプを有するタンクユニットとを備え、前記ヒートポンプユニットと前記タンクユニットを接続する給湯配管のうち、前記ヒートポンプユニット側の配管接続部を発泡部材で覆ったことにより、堤外気温時に、たとえ停電が生じた場合においても、水配管の凍結を抑えた高い信頼性を有する。
【００１０】
第２の発明のヒートポンプ給湯装置は、特に第１の発明において、前記発泡部材と前記配管接続部との間にグラスウールを配設したことにより、さらに断熱性能を向上させることが可能となる。
【００１１】
第３の発明のヒートポンプ給湯装置は、特に第１または第２の発明において、前記発泡部材の一部を、前記ヒートポンプユニットの電源カバーに内装したことにより、組み立て性能が向上する。
【００１２】
以下、本発明の実施の形態について、図面を参照しながら説明する。なお、この実施の形態によって本発明が限定されるものではない。
【００１３】
（実施の形態１）
実施の形態１において、ヒートポンプ給湯装置の構成は、従来の実施の形態と同じであるため、説明は省略する。
【００１４】
図1（ａ）、（ｂ）、（ｃ）は、請求項1に記載の本発明の構成の管接続部の平面図、正面図、側面図である。図１に示すように、本実施の形態１におけるヒートポンプユニットＡと貯湯ユニットＢとを接続する配管の接続部には、発泡断熱材が分割されて覆われており、このようにあらかじめ成形された発泡部材で覆うことにより、低外気温時に、たとえ停電が生じた場合でも、水配管の凍結を抑えた高い信頼性を持ったヒートポンプ給湯装置を提供することが可能となる
（実施の形態２）
図２（ａ）、（ｂ）、（ｃ）は、請求項２に記載の本発明の構成の管接続部の平面図、正面図、側面図である。管接続部の温水管２０、冷水管２１は発泡部材２２、２３、２４で左右と前から覆われている。また、温水管２０、冷水管２１と発泡部材２２、２３、２４との間隙にグラスウール２５を挿入し、外からの断熱性能を高めている。
【００１５】
このようにあらかじめ成形された発泡部材で覆うことと平行してグラスウールにより隙間を埋めることによって、低外気温時に、たとえ停電が生じた場合でも、水配管の凍結を抑えた高い信頼性を持ったヒートポンプ給湯装置を提供することが可能となる
（実施の形態３）
図３（ａ）、（ｂ）、（ｃ）は、請求項２に記載の本発明の構成の管接続部の平面図、正面図、側面図である。管接続部の温水管２０、冷水管２１は発泡部材２２、２３で左右から覆われている。また、電源カバー３０には、発泡部材２６があらかじめ取り付けてあり、電源カバー３０を取り付けることによって、管接続部の断熱性が完成する。
【００１６】
この構成をとることにより、低外気温時に、たとえ停電が生じた場合でも、水配管の凍結を抑えた高い信頼性を持ったヒートポンプ給湯装置を提供することが可能となる。
【産業上の利用可能性】
【００１７】
以上のように、本発明は、低外気温時に、たとえ停電が生じた場合でも、水配管の凍結を抑えた高い信頼性を持ったヒートポンプ給湯装置を提供することが可能となる。
【図面の簡単な説明】
【００１８】
【図１】（ａ）本発明の実施の形態１における配管接続部の要部平面図（ｂ）同正面図（ｃ）同側面図
【図２】（ａ）本発明の実施の形態２における配管接続部の要部平面図（ｂ）同正面図（ｃ）同側面図
【図３】（ａ）本発明の実施の形態３における配管接続部の要部平面図（ｂ）同正面図（ｃ）同側面図
【図４】従来の実施の形態におけるヒートポンプ給湯装置の構成図
【図５】（ａ）従来の実施の形態におけるヒートポンプユニットの斜視図（ｂ）同実施の形態における電源カバーを外したヒートポンプユニットの斜視図
【符号の説明】
【００１９】
１０１  圧縮機
１０２  給湯用熱交換器
１０３  減圧器
１０４  熱源側熱交換器
１０５  水ポンプ
１０６  給湯タンク
２０  温水管
２１  冷水管
２２〜２４発泡部材
２５グラスウール
２６発泡部材
１３０電源カバー
【図１】
2008298387.tif 000003
【図２】
2008298387.tif 000004
【図３】
2008298387.tif 000005
【図４】
2008298387.tif 000006
【図５】
2008298387.tif 000007